(57)【要約】【課題】便器使用時等に、安全性を確保して良好に使用できるひじ掛け付き背もたれユニットの提供。【解決手段】ひじ掛け部６，６と背もたれ４とその支持基材８を有し、支持基材８の底側にキャスター９ａ，９ｂを備えたひじ掛け付き背もたれユニット１において、キャスター９ａ，９ｂを斜めに固定し、一定の回転運動以外はできないように構成して、ひじ掛け付き背もたれユニット１が前後左右に勝手に移動することを防いで、安全性を高めることができる。【選択図】　　　　　　　　図１
2004049760.tif 000002
【特許請求の範囲】
【請求項１】
ひじ掛けと背もたれとその支持基材を有し、支持基材底側にキャスターを備えたひじ掛け付き背もたれユニットにおいて、前記キャスターを斜めに固定し、一定の回転運動以外はできないように構成したことを特徴とするひじ掛け付き背もたれユニット。
【請求項２】
便器を搭載し、便器ごと回転できるように構成したことを特徴とする請求項１に記載のひじ掛け付き背もたれユニット。
【請求項３】
便座を備えたことを特徴とする請求項１に記載のひじ掛け付き背もたれユニット。
【請求項４】
前記キャスターの固定を解除できる手段を設け、該手段を操作して前記キャスターを自由に動ける状態に切り替えできるように構成したことを特徴とする請求項１または請求項２または請求項３に記載のひじ掛け付き背もたれユニット。
【発明の詳細な説明】
【０００１】
【発明の属する技術分野】
この発明は、高齢者や身体の不自由な人を便器の使用時に良好に補助できるひじ掛け付き背もたれユニットに関するものである。
【０００２】
【従来の技術及び発明が解決しようとする課題】
従来、高齢者や身体の不自由な人が、車椅子から便器に移乗する際に、便器の横に移乗スペースがない場合には、便器の向きに合わせて体をひねって体の向きを変える必要があり、便器への移乗が非常に困難となっていた。なお、便器使用時に、ひじ掛け付き背もたれユニットが用いられる場合があるが、便器に移乗する際等には、ひじ掛け付き背もたれユニットのキャスターを完全にロックしておく必要があり、キャスターをロックする動作等が困難であり、使い難いという問題点があった。
【０００３】
【課題を解決するための手段】
本発明は、上記従来の問題点に鑑み案出したものであって、便器の使用時等に高齢者や身体の不自由な人を良好に補助できる、安全性の高い、ひじ掛け付き背もたれユニットを提供せんことを目的とし、その第１の要旨は、ひじ掛けと背もたれとその支持基材を有し、支持基材底側にキャスターを備えたひじ掛け付き背もたれユニットにおいて、前記キャスターを斜めに固定し、一定の回転運動以外はできないように構成したことである。
また、第２の要旨は、ひじ掛け付き背もたれユニットに便器を搭載し、便器ごと回転できるように構成したことである。
また、第３の要旨は、ひじ掛け付き背もたれユニットに便座を備えたことである。
また、第４の要旨は、ひじ掛け付き背もたれユニットのキャスターの固定を解除できる手段を設け、該手段を操作して前記キャスターを自由に動ける状態に切り替えできるように構成したことである。
【０００４】
【発明の実施の形態】
以下、本発明の実施例を図面に基づいて説明する。
図１は、第１実施例のひじ掛け付き背もたれユニットの斜視構成図であり、図２は、その平面構成図である。
ひじ掛け付き背もたれユニット１は、パイプ状の一対の縦フレーム２，２の上端が、背もたれ部４を備えた水平な背フレーム３で連結されており、この背フレーム３の左右両端側には、上下方向に回動可能に回動フレーム５，５が設けられており、左右の回動フレーム５，５には、ひじを載せることのできるひじ掛け部６，６がそれぞれ設けられている。
【０００５】
また、一対の縦フレーム２，２の下端には、前方へ水平に延びる底フレーム７，７が設けられており、この一対の底フレーム７，７は、それぞれ支持基材８，８上に固定されたものとなっている。
この左右一対の支持基材８，８には、それぞれ前端側および後端側に、斜め方向に傾斜して傾斜孔８ａ，８ｂが開口されており、この傾斜孔８ａ，８ｂ内に、それぞれ前キャスター９ａと後キャスター９ｂが転動可能に傾斜状に設けられている。
【０００６】
前キャスター９ａと後キャスター９ｂは、図２に示すような傾斜角度で、それぞれ内側に向かって開いた状態に対向状に傾斜しており、この前キャスター９ａ，９ａ、後キャスター９ｂ，９ｂにより、ひじ掛け付き背もたれユニット１は、背もたれ４を中心として水平面内で円の回転運動、即ち円軌道上を移動でき、前後左右方向には移動できないように構成されている。即ち、ひじ掛け付き背もたれユニット１は、キャスター９ａ，９ａ，９ｂ，９ｂを介して、一定の回転運動以外はできないように構成されている。従って、ひじ掛け付き背もたれユニット１が勝手に前後左右方向に移動することがない。
【０００７】
このような、ひじ掛け付き背もたれユニット１を、高齢者や身体の不自由な人が便器を使用する際に、便器の周りに配置させて、ひじ掛け部６にひじを掛けて便器への立ち座りを良好に行うことができ、この場合に勝手にひじ掛け付き背もたれユニット１が、前後左右方向に移動することはないために、良好に便器を使用することができるものとなり、便器の使用後には、ひじ掛け部６にひじを掛けて良好に便器から立ち上がることができ、立ち上がった状態で、ひじ掛け付き背もたれユニット１を円運動させて、体の向きを良好に変え、車椅子等に良好に移乗することができるものとなり、高齢者や身体の不自由な人が安全に便器を使用することができ、また介護も良好に行えるものとなる。
【０００８】
次に、図３は第２実施例を示すものであり、図３では、図１における左右の支持基材８，８が一枚の板で構成されており、この支持基材８上に、便座１１を備えた便器本体１０が搭載されたものである。
即ち図３の第２実施例では、便器本体１０がひじ掛け付き背もたれユニット１に搭載されているため、便器本体１０はひじ掛け付き背もたれユニット１とともに円運動させることができ、便器本体１０ごと回転させて体の向きを変えることができ、車椅子等への移乗が極めて容易なものとなる。なお、この便器本体１０は、通常の便器であっても、また局部洗浄装置や暖房装置付きの便器であっても良い。
【０００９】
次に、図４は第３実施例を示すものであり、図４では、図１における左右の底フレーム７，７から、縦フレーム２，２に沿って門形状に立ち上げて門形フレーム１２が固定されており、この門形フレーム１２に後端を固定された状態で便座１３が前方側へ突出状に設けられたものであり、この便座１３上に腰を降ろすことができるように構成されている。
このような便座１３を設けたひじ掛け付き背もたれユニット１を、トイレ内に設置された便器に対し、便座１３が便器の上方にくるように配置させて、便座１３上に座って良好にトイレ内の便器を使用することができ、便器使用後には、左右の何れか方向へ円運動でひじ掛け付き背もたれユニット１を回転させて、良好に車椅子等に移乗することができるものとなり、便器使用時には左右前後方向に勝手に動くことがないため、安全性を確保して良好に便器の使用が可能となる。
【００１０】
次に、図５は第３実施例の変更例を示すものであり、図５では、ひじ掛け付き背もたれユニット１に、暖房機能，局部洗浄機能，その他、昇降機能等を備えた機能付き便座１４を設けたものである。
この機能付き便座１４は、その側方に、局部洗浄装置や昇降装置を内装した装置カバー部１４ａが一体形成されており、この装置カバー部１４ａから下方へ延びて底フレーム７に連結された立ち上がり支持部１５，１５を備えたものであり、また支持基材８の後部位等には、電源ボックス１６や温水タンクを設置したものである。
【００１１】
このような機能付き便座１４を備えたひじ掛け付き背もたれユニット１は、ひじ掛け部６を利用して機能付き便座１４上に良好に立ち座りすることができ、また昇降装置が備えられている場合には、昇降装置を利用して良好に機能付き便座１４上に着座することができるものとなり、トイレ内に設置された便器上に、この機能付き便座１４を配置させて良好に便器を使用することができるものとなる。
なお、便器の使用時等に、勝手に前後左右にひじ掛け付き背もたれユニット１が移動することはないため、安全且つ良好に便器を使用することができるものとなり、また向きを変える際には、傾斜状のキャスター９ａ，９ａ，９ｂ，９ｂを介し回転させて、良好に体の向きを変えることができるものとなる。
【００１２】
なお、図１〜図５は、キャスター９ａ，９ｂを支持基材８に形成した傾斜孔８ａ，８ｂ内に固定させたものを例示しているが、キャスター９ａ，９ｂは、支持基材８の下方に溶接等で傾斜状に固定して設けたものであっても良い。
【００１３】
更には、図６の要部斜視図で示すように、支持基材８に円形の円孔８ｃを上下に貫通形成させておき、この円孔８ｃ内に、キャスター９から上方へ延びるキャスター軸１９を回転可能に挿入させておき、キャスター軸１９の上端側に水平方向に突出する規制棒２０を設けておき、キャスター軸１９の近傍の支持基材８上には、一対の支持板２１，２１を立設させて、一対の支持板２１，２１上に軸２２を設け、この軸２２に対し揺動可能に回動アーム２３を取り付けておき、回動アーム２３の上端には、切欠溝２４ａを有する円筒状の規制キャップ２４を設けておき、回動アーム２３の下端には、手動または電動で引張り操作できるワイヤー２５を連結させて構成することができる。
【００１４】
このような構成では、ワイヤー２５を操作して引張ることにより、回動アーム２３が回動し、規制キャップ２４がキャスター軸１９の上部に被さり、この時に、切欠溝２４ａ内に規制棒２０が嵌まり込んで、キャスター９が所定の傾斜角度を成して固定される。
規制キャップ２４によりキャスター９が所定の傾斜角度で固定された時には、ひじ掛け付き背もたれユニット１は一定の回転運動以外はできない状態となり、前後左右に勝手に動くことが防がれて、安全性が確保されるものとなる。
【００１５】
なお、トイレ等からひじ掛け付き背もたれユニットを他の場所へ移動させたい時等には、ワイヤー２５を操作して回動アーム２３を起立させて、規制キャップ２４をキャスター軸１９から離反させることにより、キャスター９の固定状態を解除することができ、図６に示すような解除状態では、キャスター軸１９が円孔８ｃ内を自由に回転して、キャスター９は自由な向きに動ける状態となり、この状態で、ひじ掛け付き背もたれユニット１を前後方向、または左右方向に自由に移動させることができるものとなる。
【００１６】
なお、図６に示すような規制棒２０，規制キャップ２４を用いた構造は、一例であって、キャスター９を所定角度に固定させることができるとともに、固定状態を解除してキャスター９を自由に動かせる状態に切り替えできるような手段を、手動または電動で操作可能に設けて、ひじ掛け付き背もたれユニット１をより有効利用できるように構成することができるものである。
【００１７】
【発明の効果】
本発明は、ひじ掛けと背もたれとその支持基材を有し、支持基材底側にキャスターを備えたひじ掛け付き背もたれユニットにおいて、前記キャスターを斜めに固定し、一定の回転運動以外はできないように構成したことにより、勝手にひじ掛け付き背もたれユニットが、前後左右方向に移動することはないために、良好に便器を使用することができるものとなり、便器の使用後には、ひじ掛け部にひじを掛けて良好に便器から立ち上がることができ、立ち上がった状態で、ひじ掛け付き背もたれユニットを円運動させて、体の向きを良好に変え、車椅子等に良好に移乗することができるものとなり、高齢者や身体の不自由な人が安全に便器を使用することができ、また介護も良好に行えるものとなる。
【００１８】
また、ひじ掛け付き背もたれユニットに便器を搭載し、便器ごと回転できるように構成したことにより、便器本体ごと回転させて体の向きを変えることができ、車椅子等への移乗が極めて容易なものとなる。
【００１９】
また、ひじ掛け付き背もたれユニットに便座を備えたことにより、便座が便器の上方にくるように配置させて、便座上に座って良好にトイレ内の便器を使用することができ、便器使用後には、左右の何れか方向へ円運動でひじ掛け付き背もたれユニットを回転させて、良好に車椅子等に移乗することができるものとなり、便器使用時には左右前後方向に勝手に動くことがないため、安全性を確保して良好に便器の使用が可能となる。
【００２０】
また、ひじ掛け付き背もたれユニットに、キャスターの固定を解除できる手段を設け、該手段を操作してキャスターを自由に動ける状態に切り替えできるように構成したことにより、キャスターが所定の傾斜角度で固定された時には、ひじ掛け付き背もたれユニットは一定の回転運動以外はできない状態となり、前後左右に勝手に動くことが防がれて、安全性が確保されるものとなる。一方、キャスターの固定を解除した状態では、キャスターは自由な向きに動ける状態となり、この状態で、ひじ掛け付き背もたれユニットを前後方向、または左右方向に自由に移動させることができるものとなる。
【図面の簡単な説明】
【図１】第１実施例の、ひじ掛け付き背もたれユニットの斜視構成図である。
【図２】図１の平面構成図である。
【図３】第２実施例の、ひじ掛け付き背もたれユニットの斜視構成図である。
【図４】第３実施例の、ひじ掛け付き背もたれユニットの斜視構成図である。
【図５】第３実施例の変更例を示す、ひじ掛け付き背もたれユニットの斜視構成図である。
【図６】キャスターを固定できるとともに、自由に動ける状態に切り替えできる手段の一例を示す要部斜視構成図である。
【符号の説明】
１　　ひじ掛け付き背もたれユニット
２　　縦フレーム
３　　背フレーム
４　　背もたれ部
５　　回動フレーム
６　　ひじ掛け部
７　　底フレーム
８　　支持基材
８ａ，８ｂ　　傾斜孔
８ｃ　　円孔
９　　キャスター
９ａ　　前キャスター
９ｂ　　後キャスター
１０　　便器本体
１１　　便座
１２　　門形フレーム
１３　　便座
１４　　機能付き便座
１４ａ　　装置カバー部
１５　　立ち上がり支持部
１９　　キャスター軸
２０　　規制棒
２１　　支持板
２２　　軸
２３　　回動アーム
２４　　規制キャップ
２４ａ　　切欠溝
２５　　ワイヤー
【図１】
2004049760.tif 000003
【図２】
2004049760.tif 000004
【図３】
2004049760.tif 000005
【図４】
2004049760.tif 000006
【図５】
2004049760.tif 000007
【図６】
2004049760.tif 000008